(57)【要約】      （修正有）【課題】巻き取る切断端部が折れ曲がったり、皺になったりしないシート体巻き取り装置を提供する。【解決手段】駆動源１と、基台２と、基台に回転自在に保持されたターレット盤３ａ、３ｂと、ターレット盤の回転軸に対して対称な位置に配置された二組からなり、各々一個の芯管を両端で保持し、且つ駆動源１で回転駆動される芯管保持回動部４ａ、４ｂ、４’ａ、４’ｂと、芯管保持回動部に保持された芯管の外周面に供給されるシート体を押圧する押さえロール８、８’、１０、１０’と、ターレット盤３ａ、３ｂ又は基台２に取り付けられ、駆動源１で芯管保持回動部の回転方向と同一方向に回転する助走ロール７、７’と、押さえロールを助走ロールに当接させて押さえロールを回転させた後、シート体に当接するように押さえロールを移動させるロール移動手段９、９’、１１、１１’と、を備える。【選択図】図２
0003134199.tif 000002
【実用新案登録請求の範囲】
【請求項１】
駆動源と、
基台と、
前記基台に回転自在に保持されたターレット盤と、
前記ターレット盤の回転軸に対して対称な位置に配置された二組からなり、各々一個の芯管をその両端で保持し、且つ前記駆動源で回転駆動される芯管保持回動部と、
前記芯管保持回動部に保持された芯管の外周面に供給されるシート体を押圧する押さえロールと、
前記ターレット盤又は前記基台に取り付けられ、前記駆動源で前記芯管保持回動部の回転方向と同一方向に回転する助走ロールと、
前記押さえロールを前記助走ロールに当接させて該押さえロールを回転させた後、前記シート体に当接するように該押さえロールを移動させるロール移動手段と、
を備えることを特徴とするシート体巻き取り装置。
【請求項２】
前記芯管保持回動部は、前記芯管をその両端で保持する間隔を変更する間隔変更手段を備える請求項１に記載のシート体巻き取り装置。
【請求項３】
前記押さえロールは、ロールの長さが異なる２種類のロールからなる請求項１に記載のシート体巻き取り装置。
【請求項４】
前記助走ロールの周速は、前記芯管保持回動部で保持された前記芯管の周速と同一速度で回転される請求項１乃至３のいずれか１項に記載のシート体巻き取り装置。
【考案の詳細な説明】
【技術分野】
【０００１】
本発明は、紙やプラスチックフィルム等の長尺シート体の巻き取り装置に関する。
【背景技術】
【０００２】
図７、図８に示すように、所定の巻き取り位置Ｒに配置してシート体Ｓをロール状に所定量巻き取った紙管４４’を取り外し位置Ｒ’に移動させて新たな紙管４４を巻き取り位置Ｒに配置した後、シート体Ｓを幅員方向に切断してその切断端部を巻き取り位置Ｒにて回動する新たな紙管４４に巻き付けるようにしたシート体の巻き取り装置が知られている（例えば、特許文献１参照。）。新たな紙管４４にシート体Ｓを押圧する押さえローラ６３と、押さえローラ６３位置よりシート体Ｓの移動方向の下流側において紙管４４に接して回動し、且つ周面にカッター刃５０が嵌入する送り込みローラ４８と、送り込みローラ４８にシート体Ｓを押圧して切断するカッター刃５０及び紙管４４の周側の適所存して送り込みローラ４８を通過した切断端を紙管４４に押圧する押圧ローラ４９Ａ、４９Ｂ、４９Ｃで構成されている。
【特許文献１】特開２０００−７２２９３号公報
【考案の開示】
【考案が解決しようとする課題】
【０００３】
上記従来の巻き取り装置では、走行中のシート体Ｓに押さえローラ６３を押し付けてシート体Ｓの走行速度と同一速度で回動させ、回動している新たな紙管４４に送り込みローラ４８と押圧ローラ４９Ａ、４９Ｂ、４９Ｃを接触させて回動させ、その後、押さえローラ６３によってシート体Ｓを紙管４４に接触させ、カッター刃５０をシート体Ｓに押し付けて送り込みローラ４８とシート体Ｓを狭持して切断する。切断されたシート体Ｓの切断端部は、カッター刃５０によって前進を拒まれ、折れ曲がり、紙管４４と送り込みローラ４８間に引き込まれる。すなわち、従来の巻き取り装置では、切断端部が折れ曲がったり、皺になったりして滑らかに巻き取ることができなかった。
【０００４】
本考案は、上記の問題に鑑みてなされたものであり、巻き取る切断端部が折れ曲がったり、皺になったりしないシート体巻き取り装置を提供することを課題とする。
【課題を解決するための手段】
【０００５】
課題を解決するためになされた請求項1に係る考案は、駆動源と、基台と、前記基台に回転自在に保持されたターレット盤と、前記ターレット盤の回転軸に対して対称な位置に配置された二組からなり、各々一個の芯管をその両端で保持し、且つ前記駆動源で回転駆動される芯管保持回動部と、前記芯管保持回動部に保持された芯管の外周面に供給されるシート体を押圧する押さえロールと、前記ターレット盤又は前記基台に取り付けられ、前記駆動源で前記芯管保持回動部の回転方向と同一方向に回転する助走ロールと、前記押さえロールを前記助走ロールに当接させて該押さえロールを回転させた後、前記シート体に当接するように該押さえロールを移動させるロール移動手段と、を備えることを特徴とするシート体巻き取り装置である。
【０００６】
外周に接着剤の塗布された芯管にシート体を芯管と逆方向に回転する押さえローラで押圧することで、シート体が巻き取られる方向と逆向きの力をシート体にかからないようにすることができる。その結果、シート体が芯管に滑らかに巻き取られ、皺になったり折れ曲がったりすることがない。
【０００７】
また請求項２に係る考案は請求項１に記載の考案であって、前記芯管保持回動部は、前記芯管をその両端で保持する間隔を変更する間隔変更手段を備える。
【０００８】
巻き取るシート体の幅に応じてその幅に対応する長さの芯管を保持することができる。その結果様々な幅のシート体を巻き取ることができる。
【０００９】
また、請求項３に係る考案は請求項１に記載の考案であって、前記押さえロールは、ロールの長さが異なる２種類のロールからなる。
【００１０】
巻き取るシート体の幅が狭いときはロールの長さが短い押さえロールを、巻き取るシート体の幅が広いときはロールの長さが長い押さえロールを、それぞれ使用することで、様々な幅のシート体を隙間なく巻き取ることができる。
【００１１】
また、請求項４に係る考案は請求項１乃至３のいずれかに記載の考案であって、前記助走ロールの周速は、前記芯管保持回動部で保持された前記芯管の周速と同一速度で回転される。
【００１２】
芯管に巻き付けるシート体端部に、巻き取り方向又は巻き取りと反対方向の力が加わることがなく、シート体端部が皺になったり折れ曲がったりしない。
【考案の効果】
【００１３】
シート体を芯管と逆方向に回転する押さえローラで押圧するので、シート体が巻き取られる方向と逆向きの力がシート体にかからない。その結果、シート体が芯管に滑らかに巻き取られ、皺になったり折れ曲がったりすることがない。
【考案を実施するための最良の形態】
【００１４】
本考案のシート体巻き取り装置を図１、図２を用いて説明する。図１は、シート体巻き取り装置の概略構成図、図２は図１の要部Ａ矢視図である。
【００１５】
図１、図２において、１は電動モータ等の駆動源、２は水平部２ａ、垂直部２ｂ、２ｂ’を有する基台、３ａは基台２ｂに回転自在に保持されたターレット盤、３ｂは基台２ｂ’に保持されたターレット盤、４ａ、４ｂと４’ａ、４’ｂとはターレット盤３ａ、３ｂの回転軸５に対して対称な位置に配置され各々一個の芯管６、６’を両端で保持し、且つ駆動源１で回転駆動される二組の芯管保持回動部、７、７’はターレット盤３ａの回転軸５にユニバーサルジョイント１６（図１に一部示す）で連結される助走ロール、８、８’は芯管６、６’の外周面に供給されるシート体を押圧する押さえロール、９、９’は押さえロール８、８’を助走ロール７、７’に当接させて回転させた後、矢印Ｃ、Ｃ’方向に移動させシート体に当接させる第一シリンダ（ロール移動手段）、１０、１０’は幅の広いシート体を押圧するロール長さの長い押さえロール、１１、１１’は押さえロール１０、１０’を助走ロール７、７’に当接させて回転させた後、Ｄ、Ｄ’方向に移動させシート体に当接させる第２シリンダ（ロール移動手段）、１４ａ、１４’ａは芯管保持回動部４ａ、４’ａの配設方向に対して直角方向に配したターレット腕、１５ａ、１５’ａはガイドロールである。
【００１６】
芯管保持回動部４ａ、４’ａの回転は、回転軸５の歯車１２、１２’と芯管保持回動部４ａ、４’ａの歯車１３、１３’とがギヤＧ１、Ｇ２、Ｇ’１、Ｇ’２を介して行われる。
【００１７】
芯管保持回動部４ａ、４’ａは、間隔変更シリンダ（間隔変更手段）４１ａ、４１’ａを、芯管保持回動部４ｂ、４’ｂは間隔変更ラック・ピニオン（間隔変更手段）４１ｂ、４１’ｂを、備えており、芯管を保持する間隔を変更できるようになっている。
【００１８】
巻き取るシート体の幅に応じて間隔変更シリンダ（間隔変更手段）４１ａ、４１’ａと、間隔変更ラック・ピニオン（間隔変更手段）４１ｂ、４１’ｂで芯管保持回動部４ａ、４’ａと芯管保持回動部４ｂ、４’ｂの間隔を変更して、押さえロール７、７’或いは１０、１０’を選定することで様々な幅のシート体を巻き取ることができる。
【００１９】
図３〜図６は動作を説明するための図であり、図１、図２の要部のみを概略的に示し、同一の要素には同一の符号を付し、説明を省略する。
【００２０】
図３〜図６において、２０は後述するガイドロール２８が巻き取り位置Ｒに配置する芯管６に当接するＨ方向からアクセスできるように配置されたカッター手段で、カッター刃２５が先端部に取り付けられたアーム２３がガイド２１に係合されている。２４はカッター刃２５を突出させるシリンダ、２６はガイドロール２８が先端部に取り付けられガイド２１に係合するガイドロール支持部を突出させる補助シリンダ、２９は補助ガイドロールである。３０は、上方から供給されるシート体Ｓのガイドロールである。
【００２１】
以下、図３〜図６を使って本考案の巻き取り装置の動作を説明する。
【００２２】
図３に示すように、一方の芯管６’にシート体Ｓを一定量ロール状に巻き取り、芯管６’のロール体をシート体巻き取り位置Ｒからロール取り外し位置Ｒ’に回転軸５を中心にしてターレット盤３ａを回動させて（時計回りの矢印Ｂ方向）移動させ、予め間隔変更シリンダ４１ａと間隔変更ラック・ピニオン４１ｂで調整された芯管保持回動部４ａ（図１参照）に保持され駆動源１で時計回りの矢印Ｅ方向に回動する芯管６（外周面に接着剤が塗布された）を巻き取り位置Ｒに配置する。
【００２３】
この状態で、次ぎに、図４に示すように、シリンダ２２を駆動し矢印Ｆ方向にガイドロール２８を前進させ芯管６の近傍でシート体Ｓに当接させる。
【００２４】
この状態で、次ぎに、図５に示すように、補助シリンダ２６を駆動してガイドロール２８をシート体Ｓを介して芯管６に当接させ、同時にシリンダ２４を駆動させてカッター刃２５を矢印Ｇ方向に前進させシート体Ｓを切断することでシート体Ｓの切断部が芯管６に巻き付けられる。
【００２５】
この状態で、次ぎに、図６に示すように、時計回りの矢印Ｅ方向に芯管６と同じ速度で回転する助走ロール７に当接して反時計回りの矢印Ｅ’方向に回転する押さえロール８を第一シリンダ９（図２参照）で矢印Ｃ方向に移動させ芯管６に巻き付けられたシート体に当接させ、同時に補助シリンダ２６を停止させてガイドロール２８を後退させ、シリンダ２４を停止させカッター刃２５を後退させる。
【００２６】
この状態で、次ぎに、シリンダ２２が停止してアーム２３が後退して巻き取りが継続される。
【００２７】
時計回りの矢印Ｅ方向に芯管６と同じ速度で回転する助走ロール７に当接して反時計回りの矢印Ｅ’方向に回転する押さえロール８を矢印Ｃ方向に移動させ芯管６に巻き付けられたシート体に当接させるので、シート体が巻き取られる方向と逆向きの力がシート体にかからない。その結果、シート体が芯管に滑らかに巻き取られ、皺になったり折れ曲がったりすることがない。
【図面の簡単な説明】
【００２８】
【図１】本考案に係るシート体巻き取り装置の概略構成図である。
【図２】図１の要部Ａ矢視図である。
【図３】本考案の巻き取り装置の動作を説明する図で、一方の芯管にシート体を巻き取り、巻き取り位置から取り外し位置に移動させた状態を示す図である。
【図４】本考案の巻き取り装置の動作を説明する図で、カッター手段を前進させた状態を示す図である。
【図５】本考案の巻き取り装置の動作を説明する図で、カッター刃でシート体を切断した状態を示す図である。
【図６】本考案の巻き取り装置の動作を説明する図で、押さえロールをシート体の切断部に当接させた図である。
【図７】従来のシート体巻き取り装置の概略構成図である。
【図８】従来のシート体巻き取り装置の巻き取り動作を説明する略示説明図である。
【符号の説明】
【００２９】
１・・・・・・・・・・・・・・・・・・・駆動源
２・・・・・・・・・・・・・・・・・・・基台
３ａ、３ｂ・・・・・・・・・・・・・・・ターレット盤
４ａ、４ｂ、４’ａ、４’ｂ・・・・・・・芯管保持回動部
８、８’、１０、１０’・・・・・・・・・押さえロール
７、７’・・・・・・・・・・・・・・・・助走ロール
９、９’、１１、１１’・・・・・・・・・ロール移動手段
４１ａ、４１’ａ、４１ｂ、４１’ｂ・・・間隔変更手段
【図１】
0003134199.tif 000003
【図２】
0003134199.tif 000004
【図３】
0003134199.tif 000005
【図４】
0003134199.tif 000006
【図５】
0003134199.tif 000007
【図６】
0003134199.tif 000008
【図７】
0003134199.tif 000009
【図８】
0003134199.tif 000010